(57)【要約】【課題】光ファイバに負荷をかけずに、光ファイバや光部品を、効率良く収納することができる収納基板、それを備えた光モジュール、及び、それを備えた収納ボックスを提供することを目的とする。【解決手段】融着スリーブ３及び光カプラ４と、融着スリーブ３及び光カプラ４に接続された光ファイバ２とを収納空間内に配置する収納基板１であって、収納基板１は、平面部１１と、平面部１１に対して低い位置に平面部１１と一体的に形成されたうえで、融着スリーブ３が配置される段差部１２と、段差部１２と平面部１１との境界領域に形成され、光ファイバ２を収納基板１の表面側と裏面側とに通過させる光ファイバ通過部１３ａ、１３ｂとを有する。【選択図】図１
2013076835.tif 000002
【特許請求の範囲】
【請求項１】
光部品と、前記光部品に接続された光ファイバとを収納空間内に配置する収納基板であって、
前記収納基板は、
平面部と、
前記平面部に対して高さが異なる位置に前記平面部と一体形成されたうえで、前記光部品が配置される段差部と、
前記段差部と前記平面部との境界領域に形成され、前記光ファイバを前記収納基板の表面側と裏面側とに通過させる光ファイバ通過部とを有することを特徴とする収納基板。
【請求項２】
前記光ファイバ通過部が形成された前記段差部と前記平面部との境界領域には、前記平面部から前記光ファイバ通過部に向かう傾斜部が形成されていることを特徴とする請求項１に記載の収納基板。
【請求項３】
前記傾斜部における前記段差部側の先端部と該傾斜部に対向する前記段差部との間には、高さ方向に開口が設けられていることを特徴とする請求項２に記載の収納基板。
【請求項４】
前記段差部と前記光ファイバ通過部との配列方向が、前記収納基板の長手方向に一致されていることを特徴とする請求項１乃至３の何れか１項に記載の収納基板。
【請求項５】
収納基板の収納空間内には、前記光ファイバが所定の曲率半径以上で巻回された光ファイバ巻回部が配置されていることを特徴とする請求項１乃至４の何れか１項に記載の収納基板。
【請求項６】
前記収納空間の長手方向の一方側の壁面となる前面パネルを有し、該前面パネルに前記光ファイバの全ての入出力部が配置されていることを特徴とする請求項１乃至５の何れか１項に記載の収納基板。
【請求項７】
請求項１乃至６の何れか１項に記載の収納基板と、
前記収納基板の前記光ファイバ通過部を介して前記収納基板の表面側と裏面側とに配置された光ファイバと、
前記収納基板の前記段差部に配置された光部品と
を有することを特徴とする光モジュール。
【請求項８】
請求項１乃至６の何れか１項に記載の収納基板と、
前記収納基板の前記光ファイバ通過部を介して前記収納基板の表面側と裏面側とに配置された光ファイバと、
前記収納基板の前記段差部に配置された光部品と
を収納したことを特徴とする収納ボックス。
【発明の詳細な説明】
【技術分野】
【０００１】
本発明は、光ファイバの収納基板、当該光ファイバの収納基板を備えた光モジュール、及び、当該光ファイバの収納基板を備えた収納ボックスに関するものである。
【背景技術】
【０００２】
一般に、光通信の分野では、光信号の送受信に光ファイバを使用している。この光ファイバは、単に光信号の伝搬だけにとどまらず、光信号を増幅するために使用されたりする場合があるが、光ファイバを光信号の増幅に使用する場合、所望の光信号に増幅させるためには、条長が長い光ファイバが必要となる。また、光ファイバにマルチモードファイバを使用する場合、定常励振モードで使用するためには条長が長い光ファイバが必要となることがある。
【０００３】
このように条長が長い光ファイバを使用する場合には、光ファイバを効率良く収納する手段が必要とされる。例えば、特許文献１には、光ファイバを収納可能な光モジュールが提案されている。
【０００４】
特許文献１に記載の光モジュールは、複数の光部品１４０，１５０，１６０同士が光ファイバ１４１で接続された状態でパッケージ１００に収納実装されており、パッケージ１００内を二つに区画する基板１６５を設け、この基板１６５の一方の面側に光部品１４０，１５０，１６０を搭載し、かつ基板１６５に光ファイバ１４１を通すべく貫通部１３０を形成すると共に、基板１６５の他方の面側にこの貫通部１６５を通された光ファイバ１４１を収容している。
【先行技術文献】
【特許文献】
【０００５】
【特許文献１】特開２００３−５７４５４号公報
【発明の概要】
【発明が解決しようとする課題】
【０００６】
しかしながら、単に基板の一方の面側に光部品を実装し、基板の他方の面側に光ファイバを収容する構成では、大きさの異なる光部品を効率良く配置することはできず、光モジュールの厚みが増してしまう。また、基板に設けられた貫通部を通して光ファイバを、基板の一方の面側から基板の他方の面側に通した場合、光ファイバが貫通部の縁にひっかかってしまい、光ファイバの実装に手間がかかるだけでなく、光ファイバが貫通部の縁で破断してしまうおそれがある。
【０００７】
そこで、本発明は、上記のような課題を解決するためになされたものであり、光ファイバを損傷せずに、光ファイバや光部品を、効率良く収納することができる収納基板、それを備えた光モジュール、及び、それを備えた収納ボックスを提供することを目的とする。
【課題を解決するための手段】
【０００８】
上記課題を解決するための本発明は、光部品と、前記光部品に接続された光ファイバとを収納空間内に配置する収納基板であって、前記収納基板は、平面部と、前記平面部に対して高さが異なる位置に前記平面部と一体形成されたうえで、前記光部品が配置される段差部と、前記段差部と前記平面部との境界領域に形成され、前記光ファイバを前記収納基板の表面側と裏面側とに通過させる光ファイバ通過部とを有する。
【０００９】
上記の構成によれば、収納基板の平面部の表面側にできる収納空間と、平面部の表面側にできる収納空間よりも、段差部が平面部に対して高さが異なる位置にある分だけ、大きい収納空間を確保可能な段差部表面にできる収納空間と、収納基板の平面部の裏面側にできる収納空間と、を有する収納基板の段差部と平面部との境界領域に光ファイバ通過部を形成することで、平面部の表面側にできる収納空間と、段差部表面にできる収納空間と、平面部の裏面側にできる収納空間とを連続した一体的な収納空間とすることができる。これにより、光部品や光ファイバを、光部品の大きさ及び光ファイバの長さに合わせて、平面部の表面側にできる収納空間、段差部表面にできる収納空間、又は、平面部の裏面側にできる収納空間のいずれかに自由に効率良く配置することができる。また、光ファイバを収納基板の表面側と裏面側とに光ファイバ通過部を介して通過させる場合には、平面部に対して高さが異なる位置に設定された段差部表面にできる収納空間を経由させることにより、光ファイバが光ファイバ通過部の縁を通過する際の接触を防止・軽減することができ、光ファイバを平面部の表面側にできる収納空間及び段差部表面にできる収納空間と、平面部の裏面側にできる収納空間とにスムーズに配線することができる。
【００１０】
また、本発明は上記発明に係る収納基板であって、前記光ファイバ通過部が形成された前記段差部と前記平面部との境界領域には、前記平面部から前記光ファイバ通過部に向かう傾斜部が形成されている。
【００１１】
上記の構成によれば、光ファイバ通過部が形成された段差部と平面部との境界領域に平面部から光ファイバ通過部に向かう傾斜部を形成することにより、光ファイバを傾斜部に沿わせて滑らかに配線することができる。このため、傾斜部に沿わせた光ファイバに余計な負荷をかけないようにすることができる。
【００１２】
また、本発明は上記発明に係る収納基板であって、前記傾斜部における前記段差部側の先端部と該傾斜部に対向する前記段差部との間には、高さ方向に開口が設けられている。
【００１３】
上記の構成によれば、光ファイバを収納基板の表面側から裏面側に光ファイバ通過部を介して通過させる場合には、光ファイバを平面部に対して高さが異なる位置に設定された段差部表面にできる収納空間を経由させ、傾斜部の先端部と段差部との間にできる開口に通してから収納基板の裏面側に配線することができる。これにより、段差部表面に配線した光ファイバと傾斜部の先端部と段差部との間にできる開口を通る光ファイバと収納基板の裏面に配線された光ファイバとを同一面上で配線することができる。即ち、光ファイバを同一面上で配線することで、光ファイバを曲げにより生じる負担をかけずにスムーズに配線することができるようになる。
【００１４】
また、本発明は上記発明に係る収納基板であって、前記段差部と前記光ファイバ通過部との配列方向が、前記収納基板の長手方向に一致されている。
【００１５】
上記の構成によれば、段差部と光ファイバ通過部との配列方向を、収納基板の長手方向に一致させていることにより、光部品及び光ファイバをより効率良く収納することができるとともに、収納基板自体をコンパクトにすることができる。
【００１６】
また、本発明は、上記発明に係る収納基板の収納空間内に、前記光ファイバが所定の曲率半径以上で巻回された光ファイバ巻回部が配置されている。
【００１７】
上記の構成によれば、収納基板の収納空間内に、光ファイバを所定の曲率半径以上で巻回した光ファイバ巻回部を設けることにより、条長が長い光ファイバを効率良く収納することができる。
【００１８】
また、本発明は上記発明に係る収納基板であって、前記収納空間の長手方向の一方側の壁面となる前面パネルを有し、該前面パネルに前記光ファイバの全ての入出力部が配置されている。
【００１９】
上記の構成によれば、収納空間の長手方向の一方側の壁面となるパネルを有し、前面パネルに光ファイバの全ての入出力部を配置することにより、光ファイバと外部入出力部との接続を容易にすることができる。また、前面パネルに光ファイバの全ての入出力部があるので、収納基板の設置の取り扱いが容易になる。
【００２０】
また、本発明は、上記発明に係る収納基板と、前記収納基板の前記光ファイバ通過部を介して前記収納基板の表面側と裏面側とに配置された光ファイバと、前記収納基板の前記段差部に配置された光部品とを有する光モジュールである。
【００２１】
上記の構成によれば、光部品や光ファイバを、光部品の大きさ及び光ファイバの長さに合わせて、平面部の表面側にできる収納空間、段差部表面にできる収納空間、又は、平面部の裏面側にできる収納空間のいずれかに自由に効率良く配置することができるとともに、光ファイバ通過部を介して、平面部の表面側にできる収納空間及び段差部表面にできる収納空間と、平面部の裏面側にできる収納空間とに光ファイバをスムーズに配線することができる収納基板と、収納基板の光ファイバ通過部を介して収納基板の表面側と裏面側とに配置された光ファイバと、収納基板の段差部に配置された光部品とを有する光モジュールを提供することができる。
【００２２】
また、本発明は、上記発明に係る収納基板と、前記収納基板の前記光ファイバ通過部を介して前記収納基板の表面側と裏面側とに配置された光ファイバと、前記収納基板の前記段差部に配置された光部品とを収納した収納ボックスである。
【００２３】
上記の構成によれば、光部品や光ファイバを、光部品の大きさ及び光ファイバの長さに合わせて、平面部の表面側にできる収納空間、段差部表面にできる収納空間、又は、平面部の裏面側にできる収納空間のいずれかに自由に効率良く配置することができるとともに、光ファイバ通過部を介して、平面部の表面側にできる収納空間及び段差部表面にできる収納空間と、平面部の裏面側にできる収納空間とに光ファイバをスムーズに配線することができる収納基板と、収納基板の光ファイバ通過部を介して収納基板の表面側と裏面側とに配置された光ファイバと、収納基板の段差部に配置された光部品とを収納した収納ボックスを提供することができる。
【発明の効果】
【００２４】
本発明によれば、光ファイバに負荷をかけずに、光ファイバや光部品を、効率良く収納することができる収納基板、それを備えた光モジュール、及び、それを備えた収納ボックスを提供することができる。
【図面の簡単な説明】
【００２５】
【図１】実施形態に係る光モジュールの斜視図である。
【図２】実施形態に係る収納基板の斜視図である。
【図３】実施形態に係る収納基板の六面図である。
【図４】（Ａ）実施形態に係る光モジュールの表側の斜視図である。（Ｂ）実施形態に係る光モジュールの裏側の斜視図である。
【図５】実施形態に係る光モジュールの六面図である。
【図６】実施形態に係る光モジュールのブロック図である。
【発明を実施するための形態】
【００２６】
（実施形態）
以下、図面を参照しつつ、本願発明の実施形態を説明する。
【００２７】
（光モジュール）
本実施形態における光モジュール１０は、図１及び図４に示すように、収納基板１と、光ファイバ２と、光部品である融着スリーブ３及び光カプラ４とを備えており、収納ボックス３０の中に収納されている。ここで、光モジュールとは、光信号の送受信、光信号の増幅、光信号の合波・分波などをするものであって、光部品及び光部品に接続された光ファイバを含めてパッケージ化したものである。
【００２８】
図２及び図３に示すように、光モジュール１０における収納基板１は、収納基板１の表面側に設けられた平面部１１と、平面部１１に対して低い位置に形成された段差部１２と、光ファイバ２を収納基板１の表面側と裏面側とに通過させる光ファイバ通過部１３ａ、１３ｂと、収納基板１上に光ファイバ２を収納した際に光ファイバ２が収納基板１からはみ出さないようにする仕切部１５〜１８を有している。収納基板１の素材としては、鉄、アルミ、ステンレス、樹脂成型品等が挙げられる。
【００２９】
平面部１１の表側には、収納空間１１ａが設けられ、巻回された光ファイバ２を平面部１１に固定する固定部材６１、６２、６３が３つ設けられている。この固定部材６１、６２、６３は、プラスチック製であり、光ファイバ２を収納しやすいように、固定部材６１、６２、６３の一部分が開閉できるようになっており、本実施形態では、固定部材６１、６２、６３の上部が開閉できるようになっている。詳細は後述するが、この３つの固定部材６１、６２、６３により、光ファイバ２を巻回して形成される光ファイバ巻回部２１〜２３が所定の曲率半径以下にならないようにガイド・固定することができる。この固定部材６１、６２、６３の平面部１１での設置箇所は、光ファイバ巻回部２１〜２３の曲率半径に合わせて適宜変更可能であるし、設置する個数は限定されない。また、平面部１１の表側の収納空間１１ａには、配線される光ファイバ２の位置決め及び固定をするプラスチック製の上部が開閉する位置決め部材７１が設けられている。位置決め部材７１の設置箇所としては、所望する光ファイバ２の配線ルートに合わせて自由に設置すればよく、その個数は限定されない。なお、収納空間１１ａは、平面部１１の表側の面に対して直交する高さ方向に区画された収納空間である。
【００３０】
また、平面部１１には、平面部１１から光ファイバ通過部１３ａに向かう傾斜部１１１が形成されている。この傾斜部１１１は、光ファイバ通過部１３ａが形成された、段差部１２と平面部１１との境界領域に形成されていることになる。傾斜部１１１は、平面部１１の一部に切込みを入れて平面部１１の段差部１２側に折り曲げることにより形成されている。また、図３の（Ｂ）に示すように、傾斜部１１１における段差部１２側の先端部１１２と傾斜部１１１に対向する段差部１２との間には、高さ方向に開口ｈが設けられている。
【００３１】
また、平面部１１の長手方向両端部には、平面部１１の一部が平面部１１の表側に折り曲げられて形成された仕切部１５、及び、平面部１１の一部が平面部１１の裏側に折り曲げられて形成された仕切部１７が設けられている。また、平面部１１の短手方向両端部には、平面部１１の一部が平面部１１の表側に折り曲げられて形成された仕切部１６、及び、平面部１１の一部が平面部１１の表側に折り曲げられて形成された仕切部１８が設けられている。仕切部１５〜１８は、収納基板１上に光ファイバ２を収納した際に光ファイバ２が収納基板１からはみ出さないようにする。
【００３２】
また、仕切部１７には、断面がコの字型をした前面パネル１４が螺子止めされている。また、前面パネル１４には４つの孔１４１〜１４４が設けられている。この孔１４１〜１４４に光ファイバ２を通して、この孔１４１〜１４４に通した光ファイバ２を前面パネル１４から離れた箇所でコード化し、そのコード化した光ファイバ２の先端にコネクタ状の入力接続端子１７１及び出力接続端子１７２、１７３、１７４を設けている。入力接続端子１７１は、入出力部に相当し、外部からの光を入力する光コードと光ファイバ２とを接続する役割を果たし、出力接続端子１７２、１７３、１７４は、入出力部に相当し、外部に光を出力する光コードと光ファイバ２とを接続する役割を果たす。
【００３３】
平面部１１の裏側には、収納空間１１ｂが設けられ、収納空間１１ｂには、光カプラ４が２つ設けられている（光カプラ４１、４２）。なお、収納空間１１ｂは、平面部１１の裏側の面に対して直交する高さ方向に区画された収納空間である。
【００３４】
光カプラ４（４１、４２）は、２本の光ファイバを融着延伸することにより１本の光ファイバに入力した光を２本の光ファイバに出力する役割があり（分岐）、本実施形態では光部品の一つである。即ち、光カプラ４（４１、４２）の一端からは１本の光ファイバが引き出されており、他端からは２本の光ファイバが引き出されている。また、平面部１１の裏側の収納空間１１ｂには、配線される光ファイバ２の位置決め及び固定をするプラスチック製の上部が開閉する位置決め部材９１、９２が設けられている。位置決め部材９１、９２の設置箇所としては、所望する光ファイバ２の配線ルートに合わせて自由に設置すればよく、その個数は限定されない。
【００３５】
段差部１２は、平面部１１の短手方向に２箇所切込みを入れて折曲部１２１及び折曲部１２２の２箇所でＬ字型に折り曲げられることにより、平面部１１に対して低い位置になるように、平面部１１と一体形成されている。段差部１２には、収納空間１１ｃが設けられ、収納空間１１ｃには、融着接続した光ファイバ２を保護する融着スリーブ３（３１〜３５）が５つ設けられている。
【００３６】
融着スリーブ３は、配線された光ファイバ２において、融着接続された部分を補強する役割があり、本実施形態では光部品の一つである。また、段差部１２の収納空間１１ｃには、配線される光ファイバ２の位置決め及び固定をするプラスチック製の上部が開閉する位置決め部材８１、８２が設けられている。位置決め部材８１、８２の設置箇所としては、所望する光ファイバ２の配線ルートに合わせて自由に設置すればよく、その個数は限定されない。また、段差部１２の短手方向端部には、段差部１２の一部が段差部１２の裏側に折り曲げられて形成された仕切部１９が設けられている。なお、収納空間１１ｃは、段差部１２の表側の面（平面部１１の表側の面と同じ側）に対して直交する高さ方向に区画された収納空間である。
【００３７】
光ファイバ通過部１３ａは、傾斜部１１１が段差部１２側に折り曲げられることにより、段差部１２と平面部１１との境界領域に形成される開口である。光ファイバ通過部１３ｂは、段差部１２がＬ字型に折り曲げられることにより、段差部１２と平面部１１との間に、段差部１２の表面に対して直交する方向にできる開口である。なお、本実施形態での光ファイバ通過部１３ｂは、光ファイバ２と、段差部１２及び平面部１１との接触を防止するために、段差部１２と平面部１１との間で、収納基板１の長手方向にも開口が設けられている。また、本実施形態では、段差部１２と光ファイバ通過部１３ａ、１３ｂとの配列方向が、収納基板１の長手方向に一致されて形成されている。
【００３８】
光ファイバ２には、マルチモード光ファイバを使用している。本実施形態では、光ファイバ２に、コア径が５０μｍのグレーテッドインデックス（ＧＩ）・マルチモード光ファイバを使用して、波長１．３１μｍの光を入射している。
【００３９】
次に、図６のブロック図を参照して、光ファイバ２を伝搬する光がどのように分岐されるかについて簡単に説明する。
【００４０】
外部からの光を入力する光コードに接続された入力接続端子１７１を介して光ファイバ２に入力された光は、融着スリーブ３１が装着された融着接続箇所を通って、光カプラ４１に入力される。光カプラ４１に入力された光は、２つの光ファイバ２に等分岐される。光カプラ４１により一方の光ファイバ２に等分岐された光は、融着スリーブ３２が装着された融着接続箇所を通って、所望の曲率半径で所定回数巻回された光ファイバ巻回部２１を経由して出力接続端子１７２に出力される。なお、出力接続端子１７２を介して、光コードに出力される光量は、入力接続端子１７１を介して光ファイバ２に入力された光量の約１／２になっている。
【００４１】
光カプラ４１により他方の光ファイバ２に等分岐された光は、融着スリーブ３３が装着された融着接続箇所を通って、光カプラ４２に入力される。光カプラ４２に入力された光は、更に、２つの光ファイバ２に等分岐される。光カプラ４２により一方の光ファイバ２に等分岐された光は、融着スリーブ３４が装着された融着接続箇所を通って、所望の曲率半径で所定回数巻回された光ファイバ巻回部２２を経由して出力接続端子１７３に出力される。なお、出力接続端子１７３を介して、光コードに出力される光量は、入力接続端子１７１を介して光ファイバ２に入力された光量の約１／４になっている。
【００４２】
光カプラ４２により他方の光ファイバ２に等分岐された光は、融着スリーブ３５が装着された融着接続箇所を通って、所望の曲率半径で所定回数巻回された光ファイバ巻回部２３を経由して出力接続端子１７４に出力される。なお、出力接続端子１７４を介して、光コードに出力される光量は、入力接続端子１７１を介して光ファイバ２に入力された光量の約１／４になっている。
【００４３】
ここで、光ファイバ巻回部２１〜２３が、所望の曲率半径で所定回数巻回しているのはマルチモード光を定常励振させるためである。また、光ファイバ巻回部２１〜２３の曲率半径は、光ファイバ２で使用する光ファイバの種類ごとに規定されている最小曲率半径よりも大きい値であり、しかも、収納基板１の短手方向の長さの半分より小さい値である。本実施形態における光ファイバ２の最小曲率半径は、３０ｍｍである。そして、本実施形態では、光ファイバ巻回部２１〜２３のそれぞれで巻き回される光ファイバ２の長さは、約１０ｍであり、光ファイバ巻回部２１〜２３の曲率半径は、３０ｍｍ〜３５ｍｍになるように巻き回されている。
【００４４】
また、本実施形態では、図４に示すように、光ファイバ巻回部２１〜２３は、平面部１１の表側の収納空間１１ａと段差部１２の収納空間１１ｃとにわたって配置されているが、段差部１２が平面部１１よりも低い位置にあるため、段差部１２に設けられた融着スリーブ３や位置決め部材８１、８２と接触することはない。
【００４５】
次に、光ファイバ２、光部品である融着スリーブ３及び光カプラ４等を収納基板１に実装する手順を、図４〜図６を参照して具体的に説明する。
【００４６】
まず、収納基板１の平面部１１の裏側の収納空間１１ｂに光カプラ４１、４２を設置する。そして、光カプラ４２の一端から引き出されている１本の光ファイバ２を、位置決め部材９１、光ファイバ通過部１３ａ、位置決め部材８２を経由して段差部１２まで配線できる長さを確保して切断する。この際、光ファイバ２を巻き回すなどして収納基板１に収まりがよい適度な長さを調整するとよい。そして、光カプラ４１の一端から引き出されている２本の光ファイバ２のうち１本の光ファイバ２を、位置決め部材９２、光ファイバ通過部１３ｂ、位置決め部材８１を経由して段差部１２まで配線できる長さを確保して切断する。そして、光カプラ４１の一端から引き出されている２本の光ファイバ２のうち１本の光ファイバ２の切断された端と、光カプラ４２の一端から引き出されて切断された光ファイバ２の端との融着接続を行い、接続した箇所に融着スリーブ３３をかぶせ、融着スリーブ３３を段差部１２に設置する。そして、光カプラ４１から光カプラ４２までの光ファイバ２を、位置決め部材８１、８２、９１、９２の上部を開けて収納する。
【００４７】
次に、光カプラ４１の一端から引き出されている２本の光ファイバ２のうちもう１本の光ファイバ２を、位置決め部材９２、光ファイバ通過部１３ｂ、位置決め部材８１を経由して段差部１２まで配線できる長さを確保して切断する。そして、前面パネル１４の孔１４２を通した光ファイバ２を曲率半径３０ｍｍで、巻き回す長さが約１０ｍになるように光ファイバ巻回部２１を形成し、傾斜部１１１、位置決め部材８２を経由して段差部１２まで配線できる長さを確保できるまで引き込む。そして、孔１４２から引き込んだ光ファイバ２の端と、光カプラ４１の一端から引き出されている２本の光ファイバ２のうちもう１本の光ファイバ２の切断された端との融着接続を行い、接続した箇所に融着スリーブ３２をかぶせ、融着スリーブ３２を段差部１２に設置する。そして、孔１４２から光カプラ４１までの光ファイバ巻回部２１を含む光ファイバ２を、位置決め部材７１、８１、８２、９２の上部を開けて収納する。
【００４８】
次に、光カプラ４２の他端から引き出されている２本の光ファイバ２のうち１本の光ファイバ２を、位置決め部材９２、光ファイバ通過部１３ｂ、位置決め部材８１を経由して段差部１２まで配線できる長さを確保して切断する。そして、前面パネル１４の孔１４３を通した光ファイバ２を曲率半径３０ｍｍで、巻き回す長さが約１０ｍになるように光ファイバ巻回部２２を形成し、傾斜部１１１、位置決め部材８２を経由して段差部１２まで配線できる長さを確保できるまで引き込む。そして、孔１４３から引き込んだ光ファイバ２の端と、光カプラ４２の他端から引き出されている２本の光ファイバ２のうち１本の光ファイバ２の切断された端との融着接続を行い、接続した箇所に融着スリーブ３４をかぶせ、融着スリーブ３４を段差部１２に設置する。そして、孔１４３から光カプラ４２までの光ファイバ巻回部２２を含む光ファイバ２を、位置決め部材７１、８１、８２、９２の上部を開けて収納する。
【００４９】
次に、光カプラ４２の他端から引き出されている２本の光ファイバ２のうちのもう１本の光ファイバ２を、位置決め部材９２、光ファイバ通過部１３ｂ、位置決め部材８１を経由して段差部１２まで配線できる長さを確保して切断する。そして、前面パネル１４の孔１４４を通した光ファイバ２を曲率半径３０ｍｍで、巻き回す長さが約１０ｍになるように光ファイバ巻回部２３を形成し、傾斜部１１１、位置決め部材８２を経由して段差部１２まで配線できる長さを確保できるまで引き込む。そして、孔１４４から引き込んだ光ファイバ２の端と、光カプラ４２の他端から引き出されている２本の光ファイバ２のうちのもう１本の光ファイバ２の切断された端との融着接続を行い、接続した箇所に融着スリーブ３５をかぶせ、融着スリーブ３５を段差部１２に設置する。そして、孔１４４から光カプラ４２までの光ファイバ巻回部２３を含む光ファイバ２を、位置決め部材７１、８１、８２、９２の上部を開けて収納する。なお、孔１４１〜１４４を通った光ファイバ２は、中空になったコードに通されている。
【００５０】
次に、光カプラ４１の他端から引き出されている１本の光ファイバ２を、位置決め部材９１、光ファイバ通過部１３ａ、位置決め部材８２を経由して段差部１２まで配線できる長さを確保して切断する。この際、光ファイバ２を巻き回すなどして収納基板１に収まりがよい適度な長さを調整するとよい。そして、前面パネル１４の孔１４１を通した光ファイバ２を光ファイバ通過部１３ａ、位置決め部材９１、９２、光ファイバ通過部１３ｂ、位置決め部材８１を経由して段差部１２まで配線できる長さを確保できるまで引き込む。そして、孔１４１から引き込んだ光ファイバ２の端と、光カプラ４１の他端から引き出されて切断された光ファイバ２の端との融着接続を行い、接続した箇所に融着スリーブ３１をかぶせ、融着スリーブ３１を段差部１２に設置する。そして、孔１４１から光カプラ４１までの光ファイバ２を、位置決め部材８１、８２、９１、９２の上部を開けて収納する。
【００５１】
上記のように光ファイバ２、融着スリーブ３及び光カプラ４を収納基板１に実装した後、収納基板１を収納ボックス３０に収納し、孔１４１〜１４４を通ったコード化された光ファイバ２の端に、それぞれコネクタ状の入力接続端子１７１、及び、出力接続端子１７２、１７３、１７４を取り付ける。
【００５２】
（光モジュールの動作）
まず、図示しない外部の光信号発生回路から出力される光信号に基づいた光が、光コードを介して入力接続端子１７１に入射される。入力接続端子１７１に入射された光は、入力接続端子１７１に接続された光ファイバ２、及び、融着スリーブ３１が装着された融着接続箇所を通って、光カプラ４１に伝搬する。光カプラ４１に伝搬された光は、光カプラ４１により２つの光ファイバ２に分岐される。一方の光ファイバ２に伝搬した光は、融着スリーブ３２が装着された融着接続箇所を通って、光ファイバ巻回部２１を通過した後に出力接続端子１７２に伝搬する。出力接続端子１７２に伝搬した光は、外部に光を出力する光コードに出射されて外部の受信装置に伝搬する。
【００５３】
他方の光ファイバ２に伝搬した光は、融着スリーブ３３が装着された融着接続箇所を通って、光カプラ４２に伝搬する。光カプラ４２に伝搬された光は、光カプラ４２により２つの光ファイバ２に分岐される。一方の光ファイバ２に伝搬した光は、融着スリーブ３４が装着された融着接続箇所を通って、光ファイバ巻回部２２を通過した後に出力接続端子１７３に伝搬する。出力接続端子１７３に伝搬した光は、外部に光を出力する光コードに出射されて外部の受信装置に伝搬する。
【００５４】
他方の光ファイバ２に伝搬した光は、融着スリーブ３５が装着された融着接続箇所を通って、光ファイバ巻回部２３を通過した後に出力接続端子１７４に伝搬する。出力接続端子１７４に伝搬した光は、外部に光を出力する光コードに出射されて外部の受信装置に伝搬する。
【００５５】
このように、入力接続端子１７１に入射された光は、３つに分岐されて３つの出力接続端子１７２、１７３、１７４から出射される。
【００５６】
上記の構成によれば、収納基板１の平面部１１の表面側にできる収納空間１１ａと、収納空間１１ａよりも、段差部１２が平面部１１に対して低い位置にある分だけ、大きい収納空間を確保可能な収納空間１１ｃと、収納基板１の平面部１１の裏面側にできる収納空間１１ｂと、を有する収納基板１の段差部１２と平面部１１との境界領域に光ファイバ通過部１３ａ、１３ｂを形成することで、平面部１１の表面側にできる収納空間１１ａと、段差部１２表面にできる収納空間１１ｃと、平面部１１の裏面側にできる収納空間１１ｂとを連続した一体的な収納空間とすることができる。これにより、融着スリーブ３や光カプラ４などの光部品や光ファイバ２を、融着スリーブ３や光カプラ４などの光部品の大きさ及び光ファイバ巻回部２１〜２３の曲率半径に合わせて、平面部１１の表面側にできる収納空間１１ａ、段差部１２表面にできる収納空間１１ｃ、平面部１１の裏面側にできる収納空間１１ｂに効率良く配置することができる。また、光ファイバ２を収納基板１の平面部１１の表面側にできる収納空間１１ａ及び段差部１２表面にできる収納空間１１ｃと、平面部１１の裏面側にできる収納空間１１ｂとに光ファイバ通過部１３ａ、１３ｂを介して通過させる場合には、平面部１１に対して低い位置に設定された段差部１２表面にできる収納空間１１ｃを経由させることにより、光ファイバ２が光ファイバ通過部１３ａ、１３ｂの縁を通過する際の光ファイバ２への接触を防止・軽減することができ、光ファイバ２を平面部１１の表面側にできる収納空間１１ａ及び段差部１２表面にできる収納空間１１ｃと、平面部１１の裏面側にできる収納空間１１ｂとにスムーズに配線することができる。
【００５７】
なお、特許文献１の光モジュールを構成する基板１６５には、ポンピング用ＬＤ（１６０）やＰＤ（１６７）と、光合分波器、光分岐器、光アイソレータ、光フィルタ、ＦＢＧ等のファイバピッグテイル付き光部品１４０，１５０を任意の位置に固定できるように、多数の「段差部」を有する搭載部が設けられているが、この「段差部」の構成は、上記ポンピング用ＬＤ（１６０）、ＰＤ（１６７）、光部品１４０、１５０の形状に合わせた、くぼみ、又は、突起のようなものと推測され、その機能としては、ポンピング用ＬＤ（１６０）、ＰＤ（１６７）、及び、光部品１４０，１５０等の位置決め機能を果たすにとどまると推測される。従って、特許文献１に記載された「段差部」を有する搭載部は、本実施形態の段差部１２のような光部品の収納効率を上げる機能と、光ファイバ２を段差部１２表面にできる収納空間１１ｃを経由させることにより、光ファイバ２が光ファイバ通過部１３ａ、１３ｂの縁を通過する際の接触を防止・軽減する機能を持たず、その構成及び機能において、本実施形態の段差部１２とは異なるものである。
【００５８】
また、上記の構成によれば、光ファイバ通過部１３ａが形成された、段差部１２と平面部１１との境界領域に平面部１１から光ファイバ通過部１３ａに向かう傾斜部１１１を形成することにより、光ファイバ２を傾斜部１１１に沿わせて滑らかに配線することができる。このため、傾斜部１１１に沿わせた光ファイバ２に余計な負荷をかけないようにすることができる。
【００５９】
また、上記の構成によれば、光ファイバ２を収納基板１の表面側から裏面側に光ファイバ通過部１３ａ、１３ｂを介して通過させる場合には、光ファイバ２を平面部１１に対して低い位置に設定された段差部１２表面にできる収納空間１１ｃを経由させ、傾斜部１１１の先端部１１２と段差部１２との間にできる開口ｈに通してから収納基板１の裏面側に配線することができる。これにより、段差部１２表面に配線した光ファイバ２と傾斜部１１１の先端部１１２と段差部１２との間にできる開口ｈを通る光ファイバ２と収納基板１の裏面に配線された光ファイバ２とを同一面上で配線することができる。即ち、光ファイバ２を同一面上で配線することで、光ファイバ２を曲げにより生じる負担をかけずにスムーズに配線することができるようになる。
【００６０】
また、上記の構成によれば、段差部１２と光ファイバ通過部１３ａ、１３ｂとの配列方向を、収納基板１の長手方向に一致させていることにより、融着スリーブ３や光カプラ４などの光部品及び光ファイバ２をより効率良く収納することができる。
【００６１】
また、上記の構成によれば、収納基板１の収納空間１１ａ及び収納空間１１ｃに、光ファイバ２を３０ｍｍ以上の曲率半径で巻回した光ファイバ巻回部２１〜２３を設けることにより、条長が長い光ファイバ２を効率良く収納することができるとともに、収納基板１自体をコンパクトにすることができる。
【００６２】
また、上記の構成によれば、収納空間１１ａの長手方向の一方側の壁面となる仕切部１７を有し、仕切部１７に光ファイバ２の全ての入出力部である入力接続端子１７１及び出力接続端子１７２、１７３、１７４を配置することにより、光ファイバ２と外部の光コードとの接続を容易にすることができる。また、前面パネルに光ファイバの全ての入出力部があるので、収納ボックス３０から収納基板１だけを取り出す際の取り扱いが容易になる。また、収納ボックス３０に収納基板１を収納した場合に、収納ボックス３０の一つの面に入出力部が配置されることになるので、収納ボックス３０自体の配置をコンパクトにすることができる。
【００６３】
また、上記構成によれば、融着スリーブ３や光カプラ４などの光部品や光ファイバ２を、融着スリーブ３や光カプラ４などの光部品の大きさ及び光ファイバ２の長さに合わせて、平面部１１の表面側にできる収納空間１１ａ、段差部１２表面にできる収納空間１１ｃ、又は、平面部１１の裏面側にできる収納空間１１ｂのいずれかに自由に効率良く配置することができるとともに、光ファイバ通過部１３ａ、１３ｂを介して、平面部１１の表面側にできる収納空間１１ａ及び段差部１２表面にできる収納空間１１ｃと、平面部１１の裏面側にできる収納空間１１ｂとに光ファイバ２をスムーズに配線することができる収納基板１と、収納基板１の平面部１１に光ファイバ巻回部２１〜２３が配置されていると共に、収納基板１の光ファイバ通過部１３ａ、１３ｂを介して収納基板１の表面側と裏面側とに配置された光ファイバ２と、収納基板１の段差部１２に配置された融着スリーブ３や光カプラ４などの光部品とを有する光モジュール１０を提供することができる。
【００６４】
また、上記の構成によれば、融着スリーブ３や光カプラ４などの光部品や光ファイバ２を、融着スリーブ３や光カプラ４などの光部品の大きさ及び光ファイバ２の長さに合わせて、平面部１１の表面側にできる収納空間１１ａ、段差部１２表面にできる収納空間１１ｃ、又は、平面部１１の裏面側にできる収納空間１１ｂのいずれかに自由に効率良く配置することができるとともに、光ファイバ通過部１３ａ、１３ｂを介して、平面部１１の表面側にできる収納空間１１ａ及び段差部１２表面にできる収納空間１１ｃと、平面部１１の裏面側にできる収納空間１１ｂとに光ファイバ２をスムーズに配線することができる収納基板１と、収納基板１の平面部１１に光ファイバ巻回部２１〜２３が配置されていると共に、収納基板１の光ファイバ通過部１３ａ、１３ｂを介して収納基板１の表面側と裏面側とに配置された光ファイバ２と、収納基板１の段差部１２に配置された融着スリーブ３や光カプラ４などの光部品とを収納した収納ボックス３０を提供することができる。
【００６５】
（その他の実施形態）
上記実施形態では、図１に示すように、収納ボックス３０に関して、１つの光モジュール１０を組み込んだ場合について説明したが、これに限らず、光モジュール１０を複数積み重ねて収納可能な構成としてもよい。
【００６６】
また、本実施形態では、前面パネル１４に４つの孔１４１〜１４４を設け、この孔１４１〜１４４に光ファイバ２を通して、この孔１４１〜１４４に通した光ファイバ２を前面パネル１４から離れた箇所でコード化し、そのコード化した光ファイバ２の先端にコネクタ状の入力接続端子１７１及び出力接続端子１７２、１７３、１７４を設けているが、これに限らない。例えば、前面パネル１４に光アダプタを設け、入力接続端子１７１、及び、出力接続端子１７２、１７３、１７４を設ける構成としてもよい。
【００６７】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【００６８】
１  収納基板
２  光ファイバ
３（３１〜３５）  融着スリーブ
４（４１、４２）  光カプラ
１０  光モジュール
１１  平面部
１１ａ、１１ｂ、１１ｃ  収納空間
１２  段差部
１３ａ、１３ｂ  光ファイバ通過部
１４  前面パネル
２１〜２３  光ファイバ巻回部
３０  収納ボックス
１１１  傾斜部
１７１  入力接続端子
１７２、１７３、１７４  出力接続端子
【図１】
2013076835.tif 000003
【図２】
2013076835.tif 000004
【図３】
2013076835.tif 000005
【図４】
2013076835.tif 000006
【図５】
2013076835.tif 000007
【図６】
2013076835.tif 000008